(57)【要約】【課題】本体部からカバー部が取り外されることなく、本体部に対するカバー部の位置を切り替えることができる送風装置を提供する。【解決手段】送風装置１００は、本体部１０と、カバー部２０と、支持機構３０とを備える。カバー部２０は、本体部１０に回転可能に取り付けられる。支持機構３０は、カバー部２０を支持する。支持機構３０は、カバー部２０の状態を複数の支持状態のうちのいずれかの支持状態に切り替え可能である。支持状態毎に、本体部１０に対するカバー部２０の位置が、上下方向に異なる。【選択図】図７
2020165554.tif 000002
【特許請求の範囲】
【請求項１】
本体部と、
前記本体部に回転可能に取り付けられるカバー部と、
前記カバー部を支持する支持機構と
を備え、
前記支持機構は、前記カバー部の状態を複数の支持状態のうちのいずれかの支持状態に切り替え可能であり、
前記支持状態毎に、前記本体部に対する前記カバー部の位置が、前記本体部の軸方向に異なる、送風装置。
【請求項２】
前記支持機構は、前記本体部に対して前記カバー部を回転させる動作、及び、前記本体部に対して前記カバー部を前記軸方向に沿って移動させる動作のうちの少なくとも１つの動作が行われることで、前記カバー部の状態を前記複数の支持状態のうちのいずれかの支持状態に切り替える、請求項１に記載の送風装置。
【請求項３】
前記カバー部には、前記本体部が挿入される開口部が形成され、
前記カバー部は、前記開口部の周囲に位置する周囲部を含み、
前記支持機構は、
前記周囲部に形成される凹部と、
前記周囲部のうち前記凹部に対して凸となる凸部と、
前記本体部から突出し、前記凹部と係合可能な本体突起部と
を含む、請求項２に記載の送風装置。
【請求項４】
前記支持機構は、
前記カバー部の内面から突出するカバー突起部と、
前記本体部に形成され、前記カバー突起部に係合可能な第１係合部と
をさらに含み、
前記第１係合部に前記カバー突起部が係合している状態で、前記本体突起部に前記カバー部の前記凹部が係合する、請求項３に記載の送風装置。
【請求項５】
前記支持機構は、前記本体部に形成され、前記第１係合部に対して前記軸方向に対向配置され、かつ、前記カバー突起部に係合可能な第２係合部をさらに含む、請求項４に記載の送風装置。
【請求項６】
前記支持機構は、前記本体部に形成され、前記第１係合部と前記第２係合部とに連通し、かつ、前記カバー部の中心軸の軸回り方向に沿って延びるガイド溝をさらに含み、
前記凸部が前記本体部の前記本体突起部上に載置される場合、前記軸方向の位置において、前記ガイド溝の位置が、前記カバー突起部の位置と同じである、請求項５に記載の送風装置。
【請求項７】
前記支持機構は、前記本体部に形成され、前記カバー突起部に係合可能な第３係合部をさらに含み、
前記第３係合部に前記カバー突起部が係合することで、前記本体突起部に対して前記周囲部が前記軸方向に沿って離間した状態が保持される、請求項５又は請求項６に記載の送風装置。
【請求項８】
前記複数の支持状態は、
前記本体突起部上に前記凸部が載置される第１支持状態と、
前記カバー突起部が前記第１係合部に係合しつつ、前記カバー部の前記凹部に前記本体突起部が係合している第２支持状態と、
前記カバー突起部が前記第２係合部に係合している第３支持状態と、
前記カバー突起部が前記第３係合部に係合している第４支持状態と
を含む、請求項７に記載の送風装置。
【発明の詳細な説明】
【技術分野】
【０００１】
本発明は、送風装置に関する。
【背景技術】
【０００２】
特許文献１に記載のポータブル型空気清浄機は、内部支持体と、機器本体と、外観カバーとを備える。内部支持体は、空気吸込口とイオン吹出口とが形成された内側カバーを構成する。機器本体は、単独で空気清浄機として機能する。外観カバーは、空気清浄機の外観を決定する。外観カバーは、内部支持体からなる内側カバーの外側に装着されると共に、機器本体に対して着脱自在に設けられている。
【先行技術文献】
【特許文献】
【０００３】
【特許文献１】特開２０１７−８６５０９号公報
【発明の概要】
【発明が解決しようとする課題】
【０００４】
しかし、ユーザーは、例えば、ポータブル型空気清浄機のメンテナンスを行う場合、機器本体（本体部）から外観カバー（カバー部）を取り外さなければならい。
【０００５】
仮に、機器本体に対する外観カバーの位置が切り替えられることで、機器本体に対して外観カバーを半開きの状態にできると、ユーザーが機器本体から外観カバーを取り外すことなく、ポータブル型空気清浄機のメンテナンスを行える。従って、ユーザーが外観カバーを取り外す手間が省けるので好ましい。
【０００６】
本発明は、本体部からカバー部が取り外されることなく、本体部に対するカバー部の位置を切り替えることができる送風装置を提供することを目的とする。
【課題を解決するための手段】
【０００７】
本願の第１局面によれば、送風装置は、本体部と、カバー部と、支持機構とを備える。前記カバー部は、前記本体部に回転可能に取り付けられる。前記支持機構は、前記カバー部を支持する。前記支持機構は、前記カバー部の状態を複数の支持状態のうちのいずれかの支持状態に切り替え可能である。前記支持状態毎に、前記本体部に対する前記カバー部の位置が、前記本体部の軸方向に異なる。
【発明の効果】
【０００８】
本発明の送風装置によれば、本体部からカバー部が取り外されることなく、本体部に対するカバー部の位置を切り替えることができる。
【図面の簡単な説明】
【０００９】
【図１】本発明の実施形態に係る空気清浄機の側面図である。
【図２】本体部の斜視図である。
【図３】カバー部の斜視図である。
【図４】空気清浄機の構成を示す断面図である。
【図５】カバー部の斜視図である。
【図６】本体部の斜視図である。
【図７】第１支持状態のカバー部を示す図である。
【図８】カバー部に本体部が挿入される動作を示す図である。
【図９】第２支持状態のカバー部を示す図である。
【図１０】第２支持状態のカバー部を示す図である。
【図１１】第４支持状態のカバー部を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１から図３を参照して、本発明の実施形態に係る空気清浄機１００について説明する。図１は、本発明の実施形態に係る空気清浄機１００の側面図である。
【００１２】
空気清浄機１００は、本発明の送風装置の一例である。送風装置は、送風装置の外部から送風装置の内部に空気を取り入れて、取り入れた空気に対して加工処理を施し、加工処理後の空気を送風装置の外部に排出する構成を有していればよい。加工処理、例えば、空気を浄化する処理、空気にイオンを供給する処理、空気を除湿する処理、及び空気を加湿する処理のうちの少なくとも１つの処理を含む。
【００１３】
図１に示すように、空気清浄機１００は、筐体１を備える。筐体１は、中空の部材である。筐体１は、例えば、樹脂により形成される。
【００１４】
筐体１は、本体部１０と、カバー部２０とを含む。カバー部２０は、本体部１０に着脱自在に取り付けられる。また、カバー部２０は、本体部１０に回転可能に取り付けられる。カバー部２０は、本体部１０の外側に位置する。本体部１０にカバー部２０が取り付けられることで、本体部１０の一部がカバー部２０によって覆われる。
【００１５】
図２を参照して、本体部１０について説明する。図２は、本体部１０の斜視図である。図２に示すように、本体部１０は、第１部分１１と、複数の第２部分１２と、第３部分１３とを有する。
【００１６】
第１部分１１は、本体部１０のうち上部に位置する部分である。第１部分１１は、中空の部材である。第１部分１１には、風の吹出口Ｂが形成される。
【００１７】
複数の第２部分１２の各々は、本体部１０のうち上下方向の中央部に位置する部分である。複数の第２部分１２の各々は、第１部分１１と第３部分１３との間に介装される。複数の第２部分１２は、本体部１０の中心軸Ｌの軸回り方向Ｐに沿って並んでいる。本体部１０の中心軸Ｌは、本体部１０の中心を通ると共に、上下方向に沿って延びる仮想線である。本実施形態では、本体部１０は、３つの第２部分１２を含む。なお、第２部分１２の個数は特に限定されない。
【００１８】
第３部分１３は、本体部１０のうち下部に位置する部分である。第３部分１３は、下側部分１３ａと、上側部分１３ｂとを含む。下側部分１３ａは、床面に設置される。本実施形態では、下側部分１３ａは、略円盤状に形成される。上側部分１３ｂは、下側部分１３ａに連なり、下側部分１３ａの上側に位置する。上側部分１３ｂは、環状に形成される。上側部分１３ｂには、上側部分１３ｂを貫通する貫通孔１３１が形成される。貫通孔１３１には、例えば、フィルター（プレフィルター）Ｃが装着される。フィルターＣは、塵埃を捕獲する。貫通孔１３１は、複数設けられる。複数の貫通孔１３１は、軸回り方向Ｐに沿って並んでいる。
【００１９】
図３を参照して、カバー部２０について説明する。図３は、カバー部２０の斜視図である。図３に示すように、カバー部２０は、両端が開口した略筒状の部材である。カバー部２０には、第１開口部２１と、第２開口部２２とが形成される。第１開口部２１は、カバー部２０の上部２３に形成される。第２開口部２２は、カバー部２０の下部２４に形成される。第１開口部２１と第２開口部２２との各々は、カバー部２０の内部と外部とを連通する。カバー部２０の内部は、カバー部２０の内面２５で囲まれた空間である。
【００２０】
第２開口部２２は、本発明の開口部の一例である。第２開口部２２には、本体部１０が挿入される。
【００２１】
カバー部２０は、周囲部２７を含む。周囲部２７は、カバー部２０のうち第２開口部２２の周囲に位置する部分であり、第２開口部２２を囲むように形成される（図５参照）。周囲部２７は、環状に形成される。周囲部２７は、カバー部２０のうち下端に位置する。
【００２２】
カバー部２０には、吸気孔２６が形成される。吸気孔２６は、カバー部２０の下部２４に形成される。吸気孔２６は、カバー部２０の内部と外部とを連通する。吸気孔２６は、複数設けられる。複数の吸気孔２６は、カバー部２０の下部２４の外周に沿って並んでいる。
【００２３】
図１から図３を参照して、空気清浄機１００についてさらに説明する。
【００２４】
図１から図３に示すように、本体部１０は、カバー部２０に挿通される。
【００２５】
本体部１０の第１部分１１は、カバー部２０の第１開口部２１からカバー部２０の外部に突出する。
【００２６】
本体部１０の第２部分１２は、カバー部２０の内部に位置することで、カバー部２０で覆われる。
【００２７】
本体部１０の第３部分１３の下側部分１３ａは、カバー部２０の第２開口部２２からカバー部２０の外部に突出する。本体部１０の第３部分１３の上側部分１３ｂは、カバー部２０の内部に位置することで、カバー部２０で覆われる。
【００２８】
本体部１０に形成される貫通孔１３１は、カバー部２０に形成される吸気孔２６と対向することで、吸気孔２６と連通する。
【００２９】
以下では、貫通孔１３１と吸気孔２６とをまとめて、吸気口Ａと記載することがある。
【００３０】
次に、図１及び図４を参照して、空気清浄機１００についてさらに説明する。図４は、空気清浄機１００の構成を示す断面図である。
【００３１】
図１及び図４に示すように、筐体１は、把持部３をさらに含む。把持部３は、筐体１の外面の一部を凹ませた形状を有する。把持部３は、カバー部２０に形成される孔部３ａと、筐体１に形成される凹部３ｂとにより構成される。孔部３ａは、凹部３ｂに対向する。ユーザーが把持部３を把持することで、ユーザーの指が本体部１０の孔部３ａ及びカバー部２０の凹部３ｂの両方に引っ掛けられる。その結果、ユーザーは、本体部１０及びカバー部２０の両方を把持できる。ユーザーは、把持部３を把持した状態で、空気清浄機１００を持ち運ぶ。
【００３２】
図４に示すように、空気清浄機１００は、発光部４と、浄化部５と、送風部６とをさらに備える。
【００３３】
発光部４、浄化部５、及び送風部６は、筐体１の内部Ｍに配置される。
【００３４】
発光部４は、浄化部５に向けて光を照射する。発光部４は、例えば、ＬＥＤのような光源を含む。
【００３５】
浄化部５は、空気を浄化する。浄化部５は、発光部４の上方に配置される。浄化部５は、例えば、光触媒フィルターを含む。光触媒フィルターに含まれる光触媒は、発光部４から光を照射されることで触媒作用を生成する。その結果、空気が浄化部５の光触媒フィルターを通過する際、空気中の臭い成分が分解される。臭い成分は、例えば、アンモニア、メチルメルカプタン、トリメチルアミン、及び／又は、ノネナール等である。
【００３６】
浄化部５は、物理吸着型フィルター、及び／又は、化学吸着型フィルターを含み、物理吸着型フィルター、及び／又は、化学吸着型フィルターによって臭い成分を吸着してもよい。光触媒フィルターが用いられない場合、空気清浄機１００は発光部４を備えてなくてもよい。
【００３７】
本実施形態では、浄化部５は、空気の浄化の第１例として、空気中の臭い成分を低減させる。しかし、本発明はこれに限定されない。浄化部５は、空気の浄化の第２例として、空気中の塵埃を低減させてもよい。この場合、浄化部５は、例えば、ＨＥＰＡフィルターを含む。
【００３８】
筐体１の内部Ｍには、風路Ｎが形成される。本実施形態では、風路Ｎは、上下方向に沿って延びる。風路Ｎは、吸気口Ａと吹出口Ｂとに連通する。風路Ｎ上には、浄化部５と、送風部６とが配置される。
【００３９】
送風部６は、空気の流れを生成する。送風部６は、例えば、ファンと、ファンを回転させる駆動源とを含む。駆動源は、例えば、モータを含む。
【００４０】
送風部６が稼働することで、筐体１の外部の空気は、吸気口Ａを介して風路Ｎに流入する。そして、風路Ｎに流入した空気は、風路Ｎを流れる。そして、風路Ｎを流れる空気は、吹出口Ｂを介して筐体１の外部に排出される。本実施形態では、送風部６が稼働することは、駆動源であるモータがファンを回転させることを示す。
【００４１】
空気清浄機１００は、イオン供給部７をさらに備える。イオン供給部７は、風路Ｎ上に位置する。イオン供給部７は、送風部６の下流に配置される。イオン供給部７は、風路Ｎを流れる空気にイオンを供給する。イオンは、正イオン、及び負イオンのうちの少なくとも１つのイオンを含む。
【００４２】
空気清浄機１００は、整流部８と、ルーバー９とをさらに備える。整流部８及びルーバー９は、風路Ｎ上に配置される。
【００４３】
整流部８は、送風部６により送られる風をガイドする。整流部８は、イオン供給部７の下流に配置される。整流部８は、筐体１に固定される。
【００４４】
ルーバー９は、整流部８から流れる風をガイドする。ルーバー９は、整流部８の下流に配置される。ルーバー９は、吹出口Ｂの上流に配置される。ルーバー９は、板状の部材を湾曲させた形状を有する。ルーバー９は、風路Ｎ上において、吹出口Ｂの直前に配置される。ルーバー９は、筐体１の内部Ｍに回転可能に取り付けられる。筐体１に対するルーバー９の回転角度が変更されることで、吹出口Ｂから排出される空気の排出方向Ｈが変更される。
【００４５】
空気清浄機１００は、記憶部Ｓ１と、制御部Ｓ２とをさらに備える。
【００４６】
記憶部Ｓ１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部Ｓ２によって実行される種々のコンピュータープログラムを記憶する。
【００４７】
制御部Ｓ２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部Ｓ２は、空気清浄機１００の各要素を制御する。
【００４８】
図４を参照して、風路Ｎを通じた空気の流れについて説明する。
【００４９】
図４に示すように、送風部６が稼働することで、筐体１の外部の空気は、吸気口Ａを介して風路Ｎに流入する。風路Ｎに流入した空気は、浄化部５及びイオン供給部７の順番に、筐体１の内部Ｍを流れる。浄化部５及びイオン供給部７を流れる空気は、浄化部５を通過する際に浄化され、イオン供給部７を通過する際にイオンを供給される。浄化部５及びイオン供給部７を通過した空気は、整流部８を通過した後、ルーバー９の回転角度に応じた方向に向かって吹出口Ｂから排出される。その結果、浄化されると共にイオンを供給された空気が、吹出口Ｂから排出される。
【００５０】
次に、図５及び図６を参照して、本体部１０に対してカバー部２０を支持するための装置構成について説明する。図５は、カバー部２０の斜視図である。図６は、本体部１０の斜視図である。
【００５１】
図５及び図６に示すように、空気清浄機１００は、支持機構３０をさらに備える。支持機構３０は、本体部１０に対してカバー部２０を支持するための機構である。
【００５２】
図５及び図６に示すように、支持機構３０は、凹部３１と、凸部３２と、本体突起部３３とを含む。
【００５３】
凹部３１及び凸部３２の各々は、カバー部２０の周囲部２７に形成される。
【００５４】
凹部３１は、周囲部２７のうち凹んだ形状を有する部分である。凸部３２は、周囲部２７のうち凹部３１に対して凸となる部分である。凸部３２は、凹部３１に連なる。本実施形態では、凸部３２は、周囲部２７のうち凹部３１以外の部分である。
【００５５】
本体突起部３３は、本体部１０から突出する突起である。本体突起部３３は、本体部１０の下端部に配置される。本体突起部３３は、本体部１０の第３部分１３に形成される。本実施形態では、本体突起部３３は、略門状に形成される。本体突起部３３は、例えば、空気清浄機１００の電源コードＤを覆う。なお、本体突起部３３が覆う部材は特に限定されない。また、本体突起部３３は、空気清浄機１００を構成する部材を覆わなくてもよく、単なる突起でもよい。
【００５６】
本体突起部３３には、凹部３１が係合可能である。本実施形態では、本体突起部３３に凹部３１が係合することは、本体突起部３３が凹部３１に挿入されることを示す。
【００５７】
支持機構３０は、カバー突起部３４と、ガイド溝３５と、第１係合部３６とをさらに含む。
【００５８】
カバー突起部３４は、カバー部２０の内面２５から突出する突起である。カバー突起部３４は、カバー部２０の内部に配置される。
【００５９】
ガイド溝３５は、本体部１０の第２部分１２に形成される溝である。ガイド溝３５は、本体部１０の外面を凹ませた形状を有する。ガイド溝３５は、軸回り方向Ｐに沿って延びる。ガイド溝３５は、カバー突起部３４をガイドする。ガイド溝３５は、カバー突起部３４が摺動可能な寸法を有する。
【００６０】
ガイド溝３５は、本体部１０の第２部分１２を軸回り方向Ｐに沿って横切るように形成される。ガイド溝３５のうち軸回り方向Ｐの両端は、開放されており、開口３５ａを形成する。カバー突起部３４は、開口３５ａを通じてガイド溝３５に進入する。
【００６１】
第１係合部３６は、本体部１０の第２部分１２に形成される溝である。第１係合部３６は、本体部１０の外面を凹ませた形状を有する。第１係合部３６は、ガイド溝３５に連なる。第１係合部３６は、ガイド溝３５から下方に突出する。第１係合部３６の下端３６ａは閉塞される。
【００６２】
第１係合部３６には、カバー突起部３４が係合可能である。本実施形態では、第１係合部３６にカバー突起部３４が係合することは、カバー突起部３４が第１係合部３６内に位置することを示す。第１係合部３６にカバー突起部３４が係合することで、カバー部２０が本体部１０に対して下方へ移動することが規制される。
【００６３】
支持機構３０は、第２係合部３７をさらに含む。
【００６４】
第２係合部３７は、本体部１０の第２部分１２に形成される溝である。第２係合部３７は、本体部１０の外面を凹ませた形状を有する。第２係合部３７は、ガイド溝３５に連なる。第２係合部３７は、ガイド溝３５から上方に突出する。第２係合部３７の上端３７ａは、閉塞される。
【００６５】
第２係合部３７は、第１係合部３６の上方に配置される。第２係合部３７は、第１係合部３６に対して上下方向に対向配置される。第２係合部３７は、ガイド溝３５を介して第１係合部３６と上下方向に対向する。
【００６６】
第２係合部３７には、カバー突起部３４が係合可能である。本実施形態では、第２係合部３７にカバー突起部３４が係合することは、カバー突起部３４が第２係合部３７内に位置することを示す。第２係合部３７にカバー突起部３４が係合することで、カバー部２０が本体部１０に対して上方へ移動することが規制される。第１係合部３６と第２係合部３７とは、ガイド溝３５に連通する。
【００６７】
支持機構３０は、第３係合部３８をさらに含む。
【００６８】
第３係合部３８は、本体部１０の第２部分１２に形成される。軸回り方向Ｐの位置において、第３係合部３８の位置は、本体突起部３３の位置と同じである。第３係合部３８は、本体部１０から突出する。第３係合部３８は、略Ｕ字状に形成される。
【００６９】
第３係合部３８は、上面３８ａと、一対の側面３８ｂとを有する。上面３８ａは、第３係合部３８のうち上向きの面である。側面３８ｂは、第３係合部３８のうち横向きの面である。
【００７０】
上面３８ａは、軸回り方向Ｐに沿って延びる。側面３８ｂは、上面３８ａの端部に連なり、上面３８ａの端部から上方に延びる。
【００７１】
第３係合部３８は、湾曲部３８ｃをさらに含む。湾曲部３８ｃは、上面３８ａと側面３８ｂとが連なる箇所に位置する部分であり、湾曲した形状を有する。
【００７２】
第３係合部３８には、カバー突起部３４が係合可能である。本実施形態では、第３係合部３８にカバー突起部３４が係合することは、カバー突起部３４が第２係合部３７の上面３８ａに載置されることを示す。第３係合部３８にカバー突起部３４が係合することで、カバー部２０が本体部１０に対して下方へ移動することが規制される。
【００７３】
次に、図７から図１１を参照して、カバー部２０の支持状態について説明する。
【００７４】
支持機構３０は、本体部１０に対してカバー部２０を複数の支持状態で支持可能である。本実施形態では、複数の支持状態は、第１支持状態Ｊ１と、第２支持状態Ｊ２と、第３支持状態Ｊ３と、第４支持状態Ｊ４とを含む。支持状態毎に、本体部１０に対するカバー部２０の位置が、上下方向に異なる。
【００７５】
上下方向は、本発明の軸方向の一例である。
【００７６】
図７は、第１支持状態Ｊ１のカバー部２０を示す図である。図８は、本体部１０に対してカバー部２０が装着される動作を示す図である。
【００７７】
第１支持状態Ｊ１は、本体部１０に対してカバー部２０が装着されている途中の段階のカバー部２０の状態を示す。
【００７８】
図７に示すように、支持機構３０がカバー部２０を第１支持状態Ｊ１で支持する場合、本体突起部３３上に凸部３２が載置される。
【００７９】
カバー部２０の凸部３２が本体部１０の本体突起部３３上に載置される場合、上下方向の位置において、ガイド溝３５の位置が、カバー突起部３４の位置と同じである。その結果、カバー部２０を軸回り方向Ｐに回転することで、カバー突起部３４をガイド溝３５に導くことができる。
【００８０】
カバー部２０が第１支持状態Ｊ１で支持される場合、カバー部２０が本体突起部３３の高さの分だけ床面から上方に離間した状態になるので、カバー部２０の周囲部２７と床面との間に隙間Ｘが形成される。隙間Ｘの上方方向の寸法Ｘ１は、例えば、２０ｍｍ以上、４０ｍｍ以下である。
【００８１】
図７及び図８を参照して、カバー部２０の状態が第１支持状態Ｊ１になる手順について説明する。図８は、カバー部２０に本体部１０が挿入される動作を示す図である。
【００８２】
図８に示すように、ユーザーは、第２開口部２２からカバー部２０の内部に第１部分１１を挿入した後、本体部１０に対してカバー部２０を下降させる。図７に示すように、本体部１０に対してカバー部２０が下降すると、本体突起部３３上に凸部３２が載置される。その結果、カバー部２０の状態が第１支持状態Ｊ１になる。
【００８３】
カバー部２０の状態が第１支持状態Ｊ１になると、カバー部２０の周囲部２７と床面との間に隙間Ｘが形成される。その結果、ユーザーの指がカバー部２０の周囲部２７により挟まれることを抑制できる。
【００８４】
図９は、第２支持状態Ｊ２のカバー部２０を示す図である。
【００８５】
第２支持状態Ｊ２は、本体部１０に装着完了後のカバー部２０の状態を示す。カバー部２０が本体部１０に対して第２支持状態Ｊ２で支持されている状態で、ユーザーが空気清浄機１００を使用する。
【００８６】
図９に示すように、支持機構３０がカバー部２０を第２支持状態Ｊ２で支持する場合、凹部３１に対して本体突起部３３が下方から挿入されることで、凹部３１に対して本体突起部３３が下方から係合する。また、支持機構３０がカバー部２０を第２支持状態Ｊ２で支持する場合、第１係合部３６に対してカバー突起部３４が上方から進入することで、第１係合部３６に対してカバー突起部３４が上方から係合する。
【００８７】
図１０は、第３支持状態Ｊ３のカバー部２０を示す図である。
【００８８】
第３支持状態Ｊ３は、本体部１０及びカバー部２０のうちカバー部２０のみが持ち上げられたときのカバー部２０の状態を示す。
【００８９】
図１０に示すように、支持機構３０がカバー部２０を第３支持状態Ｊ３で支持する場合、第２係合部３７に対してカバー突起部３４が下方から進入することで、第２係合部３７に対してカバー突起部３４が下方から係合する。その結果、本体部１０に対してカバー部２０が上方へ移動することが規制される。
【００９０】
図９及び図１０を参照して、カバー部２０の状態の変化について説明する。
【００９１】
図９及び図１０に示すように、カバー部２０が第２支持状態Ｊ２で支持された状態から、ユーザーが、空気清浄機１００を持ち運ぶ際、把持部３を把持せずに、本体部１０及びカバー部２０のうちカバー部２０のみを把持して、カバー部２０のみを引き上げた場合、カバー部２０の状態が第３支持状態Ｊ３に変更される。その結果、本体部１０に対してカバー部２０が係止されるので、ユーザーがカバー部２０のみを把持して、空気清浄機１００を持ち運んでも、本体部１０からカバー部２０が外れることを抑制できる。
【００９２】
図１１は、第４支持状態Ｊ４のカバー部２０を示す図である。
【００９３】
第４支持状態Ｊ４は、空気清浄機１００のメンテナンスが行われるときのカバー部２０の状態を示す。
【００９４】
図１１に示すように、支持機構３０がカバー部２０を第４支持状態Ｊ４で支持する場合、第３係合部３８に対してカバー突起部３４上に載置されることで、第３係合部３８に対してカバー突起部３４が上方から係合する。その結果、本体部１０に対してカバー部２０が下方へ移動することが規制される。また、第３係合部３８にカバー突起部３４が係合することで、本体突起部３３に対して周囲部２７が上方に離間した状態が保持される。
【００９５】
カバー部２０が第４支持状態Ｊ４で支持されると、周囲部２７が貫通孔１３１よりも上方に位置することで、貫通孔１３１がカバー部２０で覆われずに露出する。その結果、ユーザーは、貫通孔１３１に装着されているフィルターＣを交換する、又は、フィルターＣに付着している塵埃を除去することで、空気清浄機１００のメンテナンスを行うことができる。また、本体部１０からカバー部２０を取り外さなくても空気清浄機１００のメンテナンスを行うことができるので、空気清浄機１００のメンテナンスを容易に行うことができる。
【００９６】
図７から図１１に示すように、本体部１０に対する上下方向の位置において、第１支持状態Ｊ１のカバー部２０と、第２支持状態Ｊ２のカバー部２０と、第３支持状態Ｊ３のカバー部２０と、第４支持状態Ｊ４のカバー部２０とは、第２支持状態Ｊ２のカバー部２０、第１支持状態Ｊ１のカバー部２０、第３支持状態Ｊ３のカバー部２０、及び第４支持状態Ｊ４のカバー部２０の順番に上方に位置する。
【００９７】
図７から図１１を参照して、カバー部２０の状態が第１支持状態Ｊ１から第４支持状態Ｊ４のうちのいずれかの支持状態に切り替えられるメカニズムについて説明する。
【００９８】
図７、及び図９に示すように、カバー部２０が第１支持状態Ｊ１で支持されている状態から、カバー部２０が軸回り方向Ｐに回転されることで、カバー部２０の状態が第２支持状態Ｊ２に切り替わる。詳細には、カバー部２０が軸回り方向Ｐの他方側Ｐ２に回転されることで、カバー突起部３４がガイド溝３５に進入した後、第１係合部３６へ落下する。その結果、カバー部２０の状態が第１支持状態Ｊ１から第２支持状態Ｊ２に切り替わる。
【００９９】
図９及び図１０に示すように、カバー部２０が第２支持状態Ｊ２で支持されている状態から、カバー部２０が上方へ移動されることで、カバー部２０の状態が第３支持状態Ｊ３に切り替わる。詳細には、カバー部２０が上方へ移動されることで、カバー突起部３４が第１係合部３６からガイド溝３５を介して第２係合部３７へ移動する。その結果、カバー部２０の状態が第３支持状態Ｊ３に切り替わる。
【０１００】
図８及び図１１に示すように、軸回り方向Ｐの位置において、カバー突起部３４の位置が、第３係合部３８の位置と同じ状態で、本体部１０に対してカバー部２０を装着する動作が行われると、第３係合部３８にカバー突起部３４が載置される。その結果、カバー部２０が第４支持状態Ｊ４で支持される。
【０１０１】
図７、図９、図１０、及び図１１に示すように、カバー部２０が第１支持状態Ｊ１、第２支持状態Ｊ２、及び第３支持状態Ｊ３のうちのいずれかの状態から、カバー部２０に対して、軸回り方向Ｐに回転させる動作と、上下方向に沿って移動させる動作とが適宜行われることで、カバー部２０の状態が第４支持状態Ｊ４に切り替えられる。
【０１０２】
図７及び図１１に示すように、カバー部２０が第４支持状態Ｊ４で支持されている状態から、軸回り方向Ｐの位置において、カバー突起部３４の位置が、第３係合部３８の位置と異なる位置まで、カバー部２０が軸回り方向Ｐに回転された後、カバー部２０が下方へ移動されることで、カバー部２０の状態が第１支持状態Ｊ１に切り替わる。この場合、カバー部２０が軸回り方向Ｐに回転される際、第３係合部３８の湾曲部３８ｃ（図６参照）により、カバー突起部３４を第３係合部３８からスムーズに離間させることができる。
【０１０３】
図７に示すように、軸回り方向Ｐの位置において、カバー突起部３４の位置が、ガイド溝３５、第１係合部３６、第２係合部３７、及び第３係合部３８の全ての位置と異なる状態で、カバー部２０が上方へ移動されることで、カバー部２０が本体部１０から取り外される。カバー部２０が本体部１０から取り外されることは、本体部１０が、カバー部２０の外部に位置することで、カバー部２０から離間した状態になることを示す。
【０１０４】
以上、図７から図１１を参照して説明したように、支持機構３０は、カバー部２０の状態を複数の支持状態（第１支持状態Ｊ１から第４支持状態Ｊ４）のうちのいずれかの支持状態に切り替え可能である。また、支持状態毎に、本体部１０に対するカバー部２０の位置が、上下方向に異なる。従って、カバー部２０の状態が、第１支持状態Ｊ１から第４支持状態Ｊ４のうちのいずれかの支持状態に切り替えられることで、本体部１０に対するカバー部２０の位置が上下方向に変更される。その結果、本体部１０からカバー部２０が取り外されることなく、本体部１０に対するカバー部２０の位置を切り替えることができる。
【０１０５】
また、本体部１０に対してカバー部２０を軸回り方向Ｐに回転させる動作、及び、本体部１０に対してカバー部２０を上下方向に沿って移動させる動作のうちの少なくとも１つの動作が行われることで、本体部１０からカバー部２０が取り外されることなく、支持機構３０がカバー部２０の状態を複数の支持状態（第１支持状態Ｊ１から第４支持状態Ｊ４）のうちのいずれかの支持状態に切り替える。従って、ユーザーがカバー部２０の状態を切り替える作業を容易に行うことができる。
【０１０６】
以上、図面（図１〜図１１）を参照しながら本発明の実施形態について説明した。但し、本発明は、上記の実施形態に限られるものではなく、その要旨を逸脱しない範囲で種々の態様において実施することが可能である（例えば、（１））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１０７】
（１）図６に示すように、空気清浄機１００は、複数の第２部分１２（本実施形態では、３つ）を備える。複数の第２部分１２の各々には、ガイド溝３５と、第１係合部３６と、第２係合部３７と、第３係合部３８とが設けられる。また、カバー突起部３４（図５参照）は、複数の第２部分１２と同数（本実施形態では、３つ）設けられる。その結果、カバー部２０を、複数のカバー突起部３４を介して複数個所で支持するので、カバー部２０を安定して支持できる。また、図６に示すように、本実施形態では、複数の第２部分１２は、第２部分１２ａと、第２部分１２ｂと、第２部分１２ｃとを含む。第２部分１２ａは、軸回り方向Ｐの位置において、吹出口Ｂ（図２参照）に対し軸回り方向Ｐに略１８０°離間している。第２部分１２ｂは、軸回り方向Ｐの位置において、吹出口Ｂに対し軸回り方向Ｐの一方側Ｐ１に略９０°離間している。第２部分１２ｃは、軸回り方向Ｐの位置において、吹出口Ｂに対し軸回り方向Ｐの他方側Ｐ２に略９０°離間している。そして、本実施形態では、第２部分１２ｂ及び第２部分１２ｃの各々に形成されるガイド溝３５と、第１係合部３６と、第２係合部３７と、第３係合部３８とが、本発明の支持機構を構成する部材の一例となる。
【０１０８】
なお、第２部分１２が１つ設けられてもよい。この場合、ガイド溝３５と、第１係合部３６と、第２係合部３７と、第３係合部３８と、カバー突起部３４とが、第２部分１２の個数に合わせて１つずつ設けられる。その結果、空気清浄機１００の装置構成をシンプルにすることができる。
【産業上の利用可能性】
【０１０９】
本発明は、送風装置の分野に利用可能である。
【符号の説明】
【０１１０】
１０    本体部
２０    カバー部
３０    支持機構
１００  送風装置
【図１】
2020165554.tif 000003
【図２】
2020165554.tif 000004
【図３】
2020165554.tif 000005
【図４】
2020165554.tif 000006
【図５】
2020165554.tif 000007
【図６】
2020165554.tif 000008
【図７】
2020165554.tif 000009
【図８】
2020165554.tif 000010
【図９】
2020165554.tif 000011
【図１０】
2020165554.tif 000012
【図１１】
2020165554.tif 000013